(57)【要約】【課題】パッティングにおいは、グリーンが傾斜している事が多い。アドレスの姿勢が一定に保てない、スイング中に前後に身体が揺れるためボールを中心に当てられない、ボールの上部にフェースを当てなければボールが正しく転がらない。これら課題をパターの構造によって容易に解決する方法を提案するものである。【解決手段】その構造はヘッド上面に円形水準器を設ける。そして、打面は上方より見て後方に凹んだ形の曲面とし、その断面は上から下へ後方に削ったテーパーを設ける。以上にてアドレスの姿勢を一定に保ち、ボールとヘッド中心とのズレを修正し、狙った方向へボールを転がすことができる。２・・ヘッド、４・・上面、５・・円形水準器、６・・泡、７・・打面、８・・曲面、ａ・・テーパー【選択図】図２
2006280886.tif 000002
【特許請求の範囲】
【請求項１】
上面に円形水準器を設けたパター。
【請求項２】
打面の断面を後方へテーパーを付けたパター。
【請求項３】
打面の形状が上より見て後方に凹んだ曲面であるパター。
【請求項４】
上面に円形水準器を設け、打面の断面を後方へテーパーを付けたパター。
【請求項５】
上面に円形水準器を設け、打面の形状が上方から見て後方に凹んだ曲面であるパター。
【請求項６】
上面に円形水準器を設け、打面の断面を後方へテーパーを付け、打面の形状が上方より見て後方に凹んだ曲面であるパター。
【請求項７】
打面の断面を後方へテーパーを付け、打面の形状が上より見て後方へ凹んだ曲面であるパター。
【発明の詳細な説明】
【技術分野】
【０００１】  この発明はゴルフのパターに関連し、グリーン上で何時も一定の姿勢がとれ、ダウンスイングで姿勢が前後に崩れても狙った方向へボールが転がり、ボールに転がる回転を与える構造に関するものである。これらによって、練習量の少ないゴルファーにやり易いパターを提供するものである。
【背景技術】
【０００２】  本来、グリーンには登り・下り、つま先上がり・下がりの傾斜があり、一定の姿勢を取ることが困難である。また、一般にパターのスイングは他のクラブと異なりバックスイングもダウンスイングも上方から見て直線状に振るのが好ましいとされている。この点と転がる距離に注意してバックスイングの振る幅を決め、転がるラインをイメージして振るのが精一杯である。従って、身体が前後に揺れてパターの中心から外れてボールに当たることがしばしばある。【０００３】  従来のパターは正しい一定の姿勢がアドレスで出来ているのか知る方法がない。また、パターの打面はその底面と垂直に作られており、ボールに転がる回転を与えるには、ボールの上方２／５くらいのところをアッパーな軌道で打つ必要がある。これは易しい事ではない。そして、身体の前後のふらつきによるパターの打点位置のズレは修正されずに転がってしまう。ホールの大きさに対してこの誤差は大きなものである。【０００４】  公知文献として以下のものがある。
【特許文献１】特開２００３−２９０４０８号公報（水準器付）
【特許文献２】特開平１１−５７０７７号公報（水準器付）
【特許文献３】特開平１０−２１１３０５号公報（フェースが曲面）
【０００５】  特許文献１及び２の技術内容については、あくまでグリーンの傾斜を把握するためのもので、図１に示す様に、棒状の水準器が２つパターの打面と併行及び直角方向に設けられている。これでは、あらゆる角度からアドレスの姿勢が正しく取れているかは判断できない。又、同時に２つの泡を観察するのはプレーヤーにとって大変困難である。【０００６】  また、特許文献３の技術内容はアイアンのバックスピン向上に関するものであって、本発明の目的とする打点のズレを修正するものではない。従ってフェースの曲面になっている方向が異なっている。全く目的・効果・形状の異なる発明である。
【発明の開示】
【発明が解決しようとする課題】
【０００７】  本発明はこれら一般のゴルファーにとってボールをホールに入れ易くする為に、常にアドレスで一定の構えが出来る方法、スイング中に前後のブレが生じボールがパターの中央に当たらなくても自動的に修正する方法、そしてボールを転がる方向へ正回転させることが出来るパターの構造を提案するものである。
【課題を解決するための手段】
【０００８】  第１発明は傾斜のあるグリーン上で常に一定の姿勢をとることの出来るパターの構造に係るものである。即ち、パターの上面に円形水準器５を設けることにより、アドレス時点で正しい姿勢を取れているかチェックが可能である。水準器の１つだけの泡６の位置を常に同じになるように姿勢や手の位置を修正すればよい。【０００９】  第２発明はボールにバックスピンを掛けないで、最初から転がる方向へ正の回転ｂを与える為のパター打面の構造にかかわるものである。即ち図３に示す様にパター打面形状を上端から底面へと後方へ斜めに削りテーパー部ａを設けることで解決できる。角度δは９０度以上になる。【００１０】  第３発明はダウンスイング中に身体が前後に動いてボール９に対してパターがその中心から外れて当たっても図４に示す様にボールに回転ｃが与えられてパターの中心１０で押し出されるような打面の形状に係わるものである。パターは他のクラブと異なり直線状に狙った方向へ振り出されるのが普通であり、そのヘッド速度も遅い。図２パターの打面７を上方より見ると曲面Ｒが設けられているので中心にボールがｃ方向に回転しながら中心部に集められる押し出される。これら発明の効果は実験によって確かめられている。【００１１】  第４発明は第１発明と第２発明を組み合わせたもので、従来のパターと類似の形なので慣れ易く且つ正しい姿勢を取れることとボールに転がる回転を与えることが出来る。【００１２】  第５発明は第１と第３発明を組み合わせたもので、正しい姿勢が取れ且つ身体の揺れによるボールのブレを防止できる。ボールをホール方向に寄せてアドレスする人に適している。【００１３】  第６発明は第１、第２、第３発明の全てを備えた理想的なパターの構造を示している。【００１４】  第７発明は第６発明の内、第１発明である円形水準器を除いたものである。姿勢が常に一定に取れるベテランの人で水準器の泡の動きが気になる神経質な人に適している。
【発明の効果】
【００１５】  発明の効果について、第１発明をもって述べれば、傾斜地においても従来にの技術にない  アドレスの姿勢を円形水準器５の泡の位置を一定にする事により正しく保つことができる。パターの底面を平面状にすることにより、グリーンの傾斜を読みとることも可能な事は言うまでもない。【００１６】  しかも、第２発明により容易にボールに転がる回転を与えることが出来、更に第３発明によりスイング中に身体が前後に動くことがあってもボールをパターの中心に集めて狙った方向へ打ち出すことができ、確実にボールをホールへ沈めることが可能となる。
【発明を実施するための最良の形態】
【００１７】  この発明の最良の形態はこれら第６発明の全てを組み合わせた場合である。円形水準器５による正しいアドレスの姿勢、身体の揺れによるズレを修正しボールをパター中心に合わせる打面の曲面形状、後方へ設けたテーパーａによるボールの転がりによって、容易にボールをホールへ沈めることができる。
【実施例】
【００１８】  以下、本発明の代表例であるパターの構造・形状について図面をもって説明する。図１は特許文献１の実施例で、グリーン傾斜を読むため棒状の水準器をパター上面に２つ縦・横に取り付けている。【００１９】  図２は本発明の代表例であるパターの構造を示している。ヘッド２は一般にはアルミや鋳鉄などの材質で作られている。軽量なアルミ等を用いその底面３近傍に鉛などの比重の大きな金属を埋め込み、出来るだけ重心を低くする事が好ましい。その上面４の中央部には円形水準器５が設けられている。円形水準器はプラスティックの透明な容器で出来ており、内部には液体が封入されており、５ミリ程度の空気の泡６が浮いている。この円形水準器はヘッドには接着・粘着・嵌合などにより一体に取り付けられる。円形水準器にはボールの進行方向及びその直角方向に目盛りが付いており容易に泡の位置を一定位置に姿勢や手を動かすことにより修正することが可能である。ヘッド２の端にはシャフト１が接着剤等で取り付けられ、その末端にゴムなどのグリップ部（図示せず）が設けられ、そこを手で握ってシャフトを振りボールをホールに向かって打つのは周知のことである。【００２０】  このような構造のパターをボールに対して、その中心１０を合わせてアドレスすれば、例えグリーンに傾斜があっても、水準器５の空気の泡６は自由に動くことが出来るので、何時も一定の位置に来るような姿勢をとることにより、安定したアドレス姿勢を作ることが出来る。【００２１】  更に、図２に示すように、パター打面の上方より見た形状は中心部が後方に凹んだ曲線となっている。従って図４に示すように、パターの中心が前後にブレても、パターを直線に振ればボールには回転ｃがかかり、凹んだ中心部に引き寄せられ初期の狙った方向へ転がす事ができる。【００２２】  そして、図３に示すように、ヘッド２の打面７の断面が後方へテーパーａを設けられているので、ボール９にはｂ方向の回転が与えられて転がるため芝の芽や傾斜に影響されにくくなり、単純なラインを描いて容易にホールに入れる事が可能になるのである。
【産業上の利用可能性】
【００２３】  本発明に係わるパターの構造形状は以上の通りであり、常に正しい姿勢でアドレスでき、例え身体が前後に動いて打点がずれても修正され、ボールに正回転が与えられて傾斜などがあっても容易にボールをホールへ沈める事が出来、ゴルフを楽しめるのである。この考案は図２に示すようなブロック型のパターに限らず広く普及しているピン型にも適用可能である。
【図面の簡単な説明】
【００２４】
【図１】図１は特許文献１の実施例の平面図である。
【図２】図２は本発明のパターの構造を示す斜視図である。
【図３】図３は図２のＡ−Ａ断面図である。
【図４】図４は打点がパター中心からずれた時のボールの動きを示す図である。
【符号の説明】
【００２５】１・・シャフト２・・ヘッド３・・底面４・・上面５・・円形水準器６・・泡７・・打面８・・曲線Ｒ９・・ボール１０・・中心２０、３０・・棒状水準器ａ・・テーパーｂ・・ボールの縦断面の回転方向ｃ・・ボールの横断面の回転方向δ・・テーパー部の角度
【図１】
2006280886.tif 000003
【図２】
2006280886.tif 000004
【図３】
2006280886.tif 000005
【図４】
2006280886.tif 000006